(57)【特許請求の範囲】
【請求項１】
レーザ光源から出射された光を対物レンズを介して光情報記録媒体に集光照射させ、前記光情報記録媒体からの反射光を光検出器により受光し、この光検出器の検出信号を電圧信号に変換して出力させる光情報記録再生装置において、
弾性を有し透明な材料により形成された透明平行平板を前記レーザ光源と前記対物レンズとの間に配設し、前記透明平行平板の中央を位置決め保持し、前記透明平行平板の両端を同方向へ移動させることによって、前記透明平行平板を湾曲させてその曲率を調節することによって収差の補正を行う収差補正機構を設けたことを特徴とする光情報記録再生装置。
【請求項２】
レーザ光源から出射された光を対物レンズを介して光情報記録媒体に集光照射させ、前記光情報記録媒体からの反射光を光検出器により受光し、この光検出器の検出信号を電圧信号に変換して出力させる光情報記録再生装置において、
弾性を有し透明な材料により形成された透明平行平板を前記レーザ光源と前記対物レンズとの間に二枚配設し、前記透明平行平板の中央を位置決め保持し、前記透明平行平板の両端を同方向へ移動させることによって、前記透明平行平板を湾曲させてその曲率を調節することによって収差の補正を行う収差補正機構を各前記透明平行平板についてそれぞれ設け、各前記透明平行平板の二次元的曲げ方向は互いに直交することを特徴とする光情報記録再生装置。
【請求項３】
レーザ光源から出射された光を対物レンズを介して光情報記録媒体に集光照射させ、前記光情報記録媒体からの反射光を光検出器により受光し、この光検出器の検出信号を電圧信号に変換して出力させる光情報記録再生装置において、
弾性を有し透明な材料により形成された透明平行平板を前記レーザ光源と前記対物レンズとの間に三枚以上配設し、前記透明平行平板の中央を位置決め保持し、前記透明平行平板の両端を同方向へ移動させることによって、前記透明平行平板を湾曲させてその曲率を調節することによって収差の補正を行う収差補正機構を各前記透明平行平板についてそれぞれ設け、各前記透明平行平板の二次元的曲げ方向は互いに等角度をなして交わることを特徴とする光情報記録再生装置。
【請求項４】
前記透明平行平板は、湾曲させられておらず平らな状態でその面方向が前記レーザ光源から出射される光の光軸に対して直交するように配設されていることを特徴とする請求項１，２又は３記載の光情報記録再生装置。
【請求項５】
前記透明平行平板は、一対の支持部材によって挟んで支持されていて、前記一対の支持部材は、前記透明平行平板の曲率半径が所定範囲の値をとる範囲で互いに近接離反する方向に移動自在に設けられていることを特徴とする請求項１，２，３又は４記載の光情報記録再生装置。
【請求項６】
前記透明平行平板は、二枚の透明な平板の間に屈折率が１より大きい透明な液状部材を挟んだものであることを特徴とする請求項１，２，３，４又は５記載の光情報記録再生装置。
【発明の詳細な説明】
【０００１】
【発明の属する技術分野】
本発明は、レーザ光源から出射された光を光情報記録媒体に集光照射させ、光情報記録媒体からの反射光を光検出器により受光し、光検出器の検出信号を電圧信号に変換して出力させる光情報記録再生装置に関する。
【０００２】
【従来の技術】
従来の光情報記録再生装置の一例について説明する。従来用いられている光情報記録再生装置の一例としては、半導体レーザ光源と、対物レンズと、光検出器とを備えるものがあり、このような光情報記録再生装置は、コリメートレンズによりコリメートされた半導体レーザビーム光をビーム整形プリズムにより円形ビームとし、偏光ビームスプリッタを通過した後、１／４波長板を通過し、対物レンズにより、光ディスク基板内を通過して、情報記録面に集光スポットを形成する。この際、対物レンズのアクチュエータ機構により、常にフォーカシングとトラッキングサーボとが行われている。光スポットを光ディスク基板上に形成されたピット情報やマーク情報上に集光させ、その反射光を同じ対物レンズにより集光し、１／４波長板を通過した後、ビームスプリッタで折り返し、検出レンズによって、光検出器上に集光する。
【０００３】
この光検出器は例えば、従来フォーカシング方式である非点収差法を採用している場合には、シリンドリカルレンズにより非点収差を発生させ、４分割フォトディテクタ（ＰＤ）によりフォーカシングサーボを行っている。トラッキングサーボもこの４分割ＰＤの信号処理により行えることは周知の技術である。
【０００４】
【発明が解決しようとする課題】
光ディスク基板は、情報が書き込まれた記録面が保護層で覆われて形成されている。光情報記録再生装置では、光ディスク基板を所定位置にセットすることにより、光ディスク基板の記録面の背面を所定の部材に接触させて位置決めし、光ディスク基板を記録面側から読み取る。ここで、光ディスク基板の厚みの正規の値としては、所定値が定められているが、製造誤差やその他の要因によって、光ディスク基板の厚みが正規の値からずれて誤差が生じることがある。その場合には、球面収差が発生し、読み取り信号の劣化が生じてしまう。
【０００５】
なぜなら、従来の光情報記録再生装置では、光ディスク基板の厚みが正規の値であると想定してその厚みの光ディスク基板でビームスポットが記録面上に最適に絞られて集光されるように設計された対物レンズが用いられているため、光ディスク基板の厚みが変化すると、球面収差が発生し、焦点が光ディスク基板の記録面上に位置しなくなり、微小スポット像を得ることができなくなるからである。
【０００６】
これを解決しようとする従来例としては、特開平8-212583号公報記載の「光ピックアップ装置及び光記録媒体判別装置」に開示された技術があり、それは、光源と対物レンズとの間に補正素子を選択的に位置させることにより焦点の距離を変化させ、これにより球面収差を補正する、という内容である。この従来例は、光ディスク基板の厚みが段階的に変化するような場合に、予め設定された厚みに応じて最適な補正素子を用いるというものであって、予測できない厚みの誤差に対応した補正は困難である。
【０００７】
本発明は、光ディスク基板の厚みの誤差により発生する球面収差を無段階で補正し、常に最適なビームスポットを形成させ、より信頼性の高い読み取り及び書き込みを行うことができる光情報記録再生装置を提供することを目的とする。
【０００８】
【課題を解決するための手段】
請求項１記載の発明の光情報記録再生装置は、レーザ光源から出射された光を対物レンズを介して光情報記録媒体に集光照射させ、前記光情報記録媒体からの反射光を光検出器により受光し、この光検出器の検出信号を電圧信号に変換して出力させる光情報記録再生装置において、弾性を有し透明な材料により形成された透明平行平板を前記レーザ光源と前記対物レンズとの間に配設し、前記透明平行平板の中央を位置決め保持し、前記透明平行平板の両端を同方向へ移動させることによって、前記透明平行平板を湾曲させてその曲率を調節することによって収差の補正を行う収差補正機構を設けた。
【０００９】
したがって、光情報記録媒体の厚みに誤差があっても、その誤差量に応じて透明平行平板の少なくとも中央部を任意の曲率の弧状に変形させることによって、例えば光情報記録媒体の厚みの誤差により発生する球面収差を無段階で補正でき、光情報記録媒体の記録面上で常に微小スポット像を得ることが可能となる。
【００１０】
請求項２記載の発明の光情報記録再生装置は、レーザ光源から出射された光を対物レンズを介して光情報記録媒体に集光照射させ、前記光情報記録媒体からの反射光を光検出器により受光し、この光検出器の検出信号を電圧信号に変換して出力させる光情報記録再生装置において、弾性を有し透明な材料により形成された透明平行平板を前記レーザ光源と前記対物レンズとの間に二枚配設し、前記透明平行平板の中央を位置決め保持し、前記透明平行平板の両端を同方向へ移動させることによって、前記透明平行平板を湾曲させてその曲率を調節することによって収差の補正を行う収差補正機構を各前記透明平行平板についてそれぞれ設け、各前記透明平行平板の二次元的曲げ方向は互いに直交する。
【００１１】
したがって、光情報記録媒体の厚みの誤差により発生する収差を互いに直交する二方向で補正することによって、より良好に補正できるため、より良好な信号を得ることが可能となる。
【００１２】
請求項３記載の発明の光情報記録再生装置は、レーザ光源から出射された光を対物レンズを介して光情報記録媒体に集光照射させ、前記光情報記録媒体からの反射光を光検出器により受光し、この光検出器の検出信号を電圧信号に変換して出力させる光情報記録再生装置において、弾性を有し透明な材料により形成された透明平行平板を前記レーザ光源と前記対物レンズとの間に三枚以上配設し、前記透明平行平板の中央を位置決め保持し、前記透明平行平板の両端を同方向へ移動させることによって、前記透明平行平板を湾曲させてその曲率を調節することによって収差の補正を行う収差補正機構を各前記透明平行平板についてそれぞれ設け、各前記透明平行平板の二次元的曲げ方向は互いに等角度をなして交わる。
【００１３】
したがって、二方向以下の補正では補正しきれない方向の波面収差をも補正可能となり、よりきめ細かくより良質な補正が可能となる。
【００１４】
請求項４記載の発明は、請求項１，２又は３記載の光情報記録再生装置であって、前記透明平行平板は、湾曲させられておらず平らな状態でその面方向が前記レーザ光源から出射される光の光軸に対して直交するように配設されている。
【００１５】
したがって、光軸を曲げずに収差の補正を行うことができる。
【００１８】
請求項５記載の発明は、請求項１，２，３又は４記載の光情報記録再生装置であって、前記透明平行平板は、一対の支持部材によって挟んで支持されていて、前記一対の支持部材は、前記透明平行平板の曲率半径が所定範囲の値をとる範囲で互いに近接離反する方向に移動自在に設けられている。
【００１９】
したがって、常態で所定の曲率を持たせた透明平行平板を一対の支持部材で挟んで支持し、これらの支持部材を透明平行平板の曲率半径が所定範囲の値をとる範囲で互いに近接離反する方向に移動させることによって、透明平行平板の中央を支持しなくても透明平行平板を所望の曲率に変形させることが可能となる。
【００２０】
請求項６記載の発明は、請求項１，２，３，４又は５記載の光情報記録再生装置であって、前記透明平行平板は、二枚の透明な平板の間に屈折率が１より大きい透明な液状部材を挟んだものである。
【００２１】
したがって、弾性を有する材料で形成された一枚の平板からなる透明平行平板よりも厚い透明平行平板とすることができ、これにより、一枚の平板からなる透明平行平板と比べて光が透明平行平板を通過する際に発生する位相差を広げることが可能となって、ある誤差の補正にあたって一枚の平板からなる透明平行平板を用いる場合よりも少ない変形量で補正可能となる。
【００２２】
【発明の実施の形態】
本発明の光情報記録再生装置の第一の実施の形態について、図１〜図３を用いて説明する。図１は、光情報記録再生装置１の構成を示す斜視図であって、図２は、その平面図である。半導体レーザ（ＬＤ）光源２とコリメートレンズ３との間に透明平行平板４を配置する。透明平行平板４は長方形状である。この透明平行平板４の両端を支持する支持部材５には、支持部材５を光軸に平行なＺ方向に移動させる曲げ機構（図示せず）が設けられている。透明平行平板４の中央は、支軸６により保持されて位置決めされている。ここで、曲げ機構と支持部材５とにより、収差補正機構が構成されている。
【００２３】
曲げ機構については、磁気コイルなどを用いたアクチュエータ機構や、圧電素子を用いた駆動部材、或いはモータ駆動等による駆動方法を採用できる。その曲げ機構による支持部材５の移動範囲は、最大でも数ｍｍ程度あればよい。
【００２４】
透明平行平板４は、このように、支軸６により支持された略中央を境に、両端部の支持部材５の移動によって、緩やかに湾曲することが可能な弾性材料により形成されている。弾性材料としては、例えば、ＰＣ（polycarbonate）やＰＭＭＡ（poly(methyl methacrylate) ）やポリオレフィン系樹脂などの樹脂部材などがある。
【００２５】
ここで、透明平行平板４は、湾曲せずに平らな状態のとき、その面方向が、ＬＤ光源２から出射される光の光軸に対して直交するように配設されている。
【００２６】
コリメートレンズ３は、この透明平行平板４が挿入された状態で、最適なコリメートがされ、光情報記録媒体である光ディスク基板Ｄを通り、最適なビーム径となるように設計されている。ここで、光ディスク基板Ｄの厚みが、製造誤差やその他の要因で所望の厚さより変化した場合、従来の構成であれば、光ディスク基板Ｄの厚みの誤差により球面収差が発生すると読み取り信号の劣化が生じることになるが、本実施の形態の構成によれば、光ディスク基板Ｄの厚みの誤差は、透明平行平板４を適切に変形させることによって、コリメート光を見かけ上拡大系としたり、縮小系とするように変化させることにより、光ディスク基板Ｄの記録面上で常に微小スポット像を得ることが可能となる。これについて、図２及び図３により更に詳細に説明する。
【００２７】
図２は、常態の透明平行平板４を示しており、支持部材５はホームポジションに位置している。図３は、曲げ機構によって支持部材５の位置が変位されている状態を示している。なお、図面では、説明のため、光線の角度を誇張して描いている（以下の実施の形態でも同様である）。
【００２８】
透明平行平板４の長手方向の長さは、数十ｍｍ程度の四角形状であり、両端の移動距離が０．数ｍｍ程度あれば、この透明平行平板４は滑らかに曲がり、シリンドリカル曲面に近い曲面を有することになる。
【００２９】
例えば、３０ｍｍの長さの透明平行平板４を中央を固定して、両端を０．１ｍｍ程度移動させると、略３７ｍｍ程度の曲率半径をもつシリンドリカル面が形成される。この量は、コリメートレンズ３、対物レンズ７の焦点距離の比にもよるが、コリメートレンズ３の焦点距離が２０数ｍｍ程度、対物レンズ７の焦点距離が６〜７ｍｍ程度であるとき、この透明平行平板４の厚みが１ｍｍ程度であれば、曲面が半径無限大の状態から４０ｍｍＲの調整範囲で、光ディスク基板Ｄの厚さの誤差としては、０．０５ｍｍ程度を補正可能となる。透明平行平板４の両端を支持する支持部材５を０．数ｍｍ程度移動させる具体的な手段としては、例えば、磁気コイルやモータ、圧電素子などがある。
【００３０】
次に、このような構成により、どのように収差補正がなされるかを説明する。光ディスク基板Ｄが正規の厚さであるときには、図２に示すように、支持部材５はホームポジションに位置させられ、透明平行平板４は平らな状態で用いられる。このときはコリメートレンズ３の焦点位置にＬＤ光源２があり、この状態で最適な構成となっている。
【００３１】
光ディスク基板Ｄの厚みが薄くなり、光ディスク基板Ｄ上の最適焦点位置が短くなると、球面収差により良質なビームが得られなくなる。この場合には、図３（ａ）に示すように、若干縮小系にして、常態より手前で集光するように透明平行平板４を変形させればよい。これにより、見かけ上、ＬＤ光源２はコリメートレンズ３から常態よりも遠くに配置したかのようになり、コリメートレンズ３を通過した後の光束はやや収束系になる。したがって、対物レンズ７で得られる集光点は、正規位置より近くに集光する。
【００３２】
光ディスク基板Ｄの厚みが厚くなり、光ディスク基板Ｄ上の最適焦点位置が遠くなった場合には、図３（ｂ）に示すように、若干拡大系にして、常態より遠くで集光するように透明平行平板４を変形させればよい。つまり、図３（ａ）と逆方向に透明平行平板４を曲げればよい。これにより、見かけ上、ＬＤ光源２はコリメートレンズ３から常態よりも近くに配置したかのようになり、コリメートレンズ３を通過した後の光束はやや拡大系になる。したがって、対物レンズ７で得られる集光点は、正規位置より遠くに集光する。
【００３３】
以上のような構成を採用することにより、光ディスク基板Ｄの厚みの誤差により発生する球面収差を補正でき、補正なしでそのまま読み取る場合より良好なビームを得ることが可能になり、良好な信号を得ることが可能となる。
【００３４】
次に、本発明の光情報記録再生装置の第二の実施の形態について、図４及び図５を用いて説明する。ここで、第一の実施の形態で説明した部分と同じ部分については同じ符号を用い、詳細な説明を省略する。なお、以下の実施の形態でも同様とする。
【００３５】
本実施の形態では、図４に示すように、予め所定の曲率を持たせた透明な弾性材料により、第一の実施の形態で示した透明平行平板４を形成した。コリメートレンズ３や対物レンズ７は、透明平行平板４に予め所定の曲率を持たせた状態で最適になるように設計しておく。
【００３６】
このような構成では、図５に示すように、矢印方向に押さえる、或いは引っ張ることによって、透明平行平板４の曲率を変化させることが可能となる。図５では、（ａ）、（ｂ）、（ｃ）の順に透明平行平板４の変形量が大きくなっている。
【００３７】
本実施の形態によれば、透明平行平板４を形成する弾性材料の復元力を利用しているため、一方向の駆動推進力で構成できる。また、予め曲率を有した構成となっているため、両端を支持する支持部材５の駆動方向によって変形方向が一義的に決定される。つまり、常態で所定の曲率を持たせた透明平行平板４を一対の支持部材５で挟んで支持し、これらの支持部材５を、透明平行平板４の曲率半径が所定範囲の値をとる範囲で互いに近接離反する方向に移動自在に設けたことにより、支持部材５を第一の実施の形態で用いていた透明平行平板４の中央を位置決め保持する支軸６が不要となり、構成が簡単になる。
【００３８】
次に、本発明の光情報記録再生装置の第三の実施の形態について、図６及び図７を用いて説明する。本実施の形態では、図６に示すように、透明平行平板４は、二組の薄い透明な平板１１の間に液状部材である透明屈折部材１２を挟み込んで形成されている。透明屈折部材１２には、水、エタノール、ベンゼン、グリセリン等、１より大きい屈折率を有する材料が用いられる。
【００３９】
本実施の形態では、第一の実施の形態と同じく、支軸６により、透明平行平板４の中央を位置決め保持している。図７（ａ）は、光ディスク基板Ｄが正規の厚さよりも薄い場合の変形状態であって、図７（ｂ）は、光ディスク基板Ｄが正規の厚さよりも厚い場合の変形状態である。
【００４０】
このような構成によれば、第一及び第二の実施の形態の透明平行平板４より厚い透明平行平板４を作製でき、光が透明平行平板４を通過する際に発生する位相差をより広げることが可能となる。このため、より少ない移動量すなわち変形量により、等量の収差の補正が可能となる。
【００４１】
次に、本発明の光情報記録再生装置の第四の実施の形態について、図８及び図９を用いて説明する。本実施の形態では、第一の実施の形態で用いた透明平行平板４を二つ、互いの長手方向が直交するように組み合わせて、コリメートレンズ３とＬＤ光源２との間に配設した。一方の透明平行平板４ａは、第一の実施の形態と同様に配設されていて、他方の透明平行平板４ｂは、透明平行平板４ａを支持する支軸６ａに直交する支軸６ｂで支持されている。
【００４２】
ここで、請求項２及び請求項３に記載した「二次元的曲げ方向」を定義付けする。ある平面Ｆに関して、この平面Ｆに共に含まれていて互いに平行な二直線Ａ，Ｂを考え、これらの直線Ａ，Ｂのうち、一方の直線Ａを他方の直線Ｂに対して相対移動させるようにして平面Ｆを湾曲させるが、その際、直線Ａを、直線Ｂに平行な方向へは移動させないように、直線Ｂに対する平行な状態を保たせながら、直線Ｂに近づく方向へ移動させるようにして、平面Ｆを湾曲させる。このような曲げ方を「二次元的曲げ」と呼ぶこととし、湾曲させられた平面Ｆ上の直線Ａ，Ｂに平行な方向を「二次元的曲げ方向」と呼ぶこととする。
【００４３】
本実施の形態では、透明平行平板４ａを湾曲させると二次元的曲げの状態になり、透明平行平板４ａを平面Ｆと考えた場合、その二次元的曲げ方向は、光軸に直交し、支軸６ａに平行である。一方、透明平行平板４ｂを湾曲させるとやはり二次元的曲げの状態になり、透明平行平板４ｂを平面Ｆと考えた場合、その二次元的曲げ方向は、光軸に直交し、支軸６ｂに平行である。したがって、透明平行平板４ａの二次元的曲げ方向と透明平行平板４ｂの二次元的曲げ方向とは直交する。
【００４４】
このような構成により、光ディスク基板Ｄの厚みの誤差により発生する収差を互いに直交する二方向で補正することによって、より良好に補正できるため、より良好な信号を得ることが可能となる。
【００４５】
次に、本発明の光情報記録再生装置の第五の実施の形態について、図１０及び図１１を用いて説明する。本実施の形態では、透明平行平板４を、互いの長手方向が等角度に交わるように組み合わせて、コリメートレンズ３とＬＤ光源２との間に三枚以上配設している。図１０は三つ配設した例の構成図、図１１は四つ配設した例の構成図を示す。ここで、ＬＤ光源２の光軸方向は、紙面に垂直な方向である。
【００４６】
ここで、前実施の形態で定義付けした各透明平行平板４の二次元的曲げ方向は、互いに等角度で交わっている。
【００４７】
このような構成によれば、二方向以下の補正では補正しきれない方向の波面収差をも補正可能となり、よりきめ細かくより良質な補正が可能となる。
【００４８】
【発明の効果】
請求項１記載の発明によれば、光情報記録媒体の厚みに誤差があっても、その誤差量に応じて透明平行平板の中央を位置決め保持し、前記透明平行平板の両端を同方向へ移動させることによって、前記透明平行平板を湾曲させることによって、例えば光情報記録媒体の厚みの誤差により発生する球面収差を無段階で補正でき、光情報記録媒体の記録面上で常に微小スポット像を得ることが可能となるため、信頼性の高い読み取り及び書き込みを行うことができる。
【００４９】
請求項２記載の発明によれば、光情報記録媒体の厚みに誤差があっても、その誤差量に応じて各透明平行平板の中央を位置決め保持し、前記透明平行平板の両端を同方向へ移動させることによって、前記透明平行平板を湾曲させることによって、光情報記録媒体の厚みの誤差により発生する球面収差を無段階でしかも二方向で補正でき、光情報記録媒体の記録面上で常に微小スポット像を得ることが可能となるため、信頼性の高い読み取り及び書き込みを行うことができる。
【００５０】
請求項３記載の発明によれば、光情報記録媒体の厚みに誤差があっても、その誤差量に応じて各透明平行平板の中央を位置決め保持し、前記透明平行平板の両端を同方向へ移動させることによって、前記透明平行平板を湾曲させることによって、光情報記録媒体の厚みの誤差により発生する球面収差を無段階でしかも多方向で補正でき、光情報記録媒体の記録面上で常に微小スポット像を得ることが可能となるため、信頼性の高い読み取り及び書き込みを行うことができる。
【００５１】
請求項４記載の発明によれば、請求項１，２又は３記載の発明において、光軸を曲げずに収差の補正を行うことができる。
【００５３】
請求項５記載の発明によれば、請求項１，２，３又は４記載の発明において、常態で所定の曲率を持たせた透明平行平板を挟んで支持する一対の支持部材を、透明平行平板の曲率半径が所定範囲の値をとる範囲で互いに近接離反する方向に移動させることによって、透明平行平板の中央を支持しなくても透明平行平板を所望の曲率に変形させることが可能となる。したがって、部品点数を抑えることによりコストを低減できる。
【００５４】
請求項６記載の発明によれば、請求項１，２，３，４又は５記載の発明において、弾性を有する材料で形成された一枚の平板からなる透明平行平板よりも厚い透明平行平板とすることができ、これにより、一枚の平板からなる透明平行平板と比べて光が透明平行平板を通過する際に発生する位相差を広げることが可能となって、ある誤差の補正にあたって一枚の平板からなる透明平行平板を用いる場合よりも少ない変形量で補正可能となる。変形量が小さければ、透明平行平板の寿命を長くできる。また、変形量が小さくできることは、各部材の配置の都合などにより支持部材の移動量を大きくすることが不可能な場合に有効である。
【図面の簡単な説明】
【図１】本発明の第一の実施の形態の光情報記録再生装置の構成を示す斜視図である。
【図２】常態の透明平行平板及びその周辺の構成部材を示す平面図である。
【図３】変形させた状態の透明平行平板及びその周辺の構成部材を示す平面図である。
【図４】本発明の第二の実施の形態の光情報記録再生装置であって、常態の透明平行平板及びその周辺の構成部材を示す平面図である。
【図５】変形させた状態の透明平行平板を示す平面図である。
【図６】本発明の第三の実施の形態の光情報記録再生装置であって、常態の透明平行平板及びその周辺の構成部材を示す平面図である。
【図７】変形させた状態の透明平行平板及びその周辺の構成部材を示す平面図である。
【図８】本発明の第四の実施の形態の光情報記録再生装置の構成を示す斜視図である。
【図９】常態の透明平行平板及びその周辺の構成部材を示す平面図である。
【図１０】本発明の第五の実施の形態の光情報記録再生装置であって、三枚の透明平行平板の配設状態を示す説明図である。
【図１１】四枚の透明平行平板の配設状態を示す説明図である。
【符号の説明】
１      光情報記録再生装置
２      レーザ光源
４      透明平行平板
５      支持部材
７      対物レンズ
１１      平板
１２      液状部材
Ｄ      光情報記録媒体
【図１】
0003661927.tif 000002
【図２】
0003661927.tif 000003
【図３】
0003661927.tif 000004
【図４】
0003661927.tif 000005
【図５】
0003661927.tif 000006
【図６】
0003661927.tif 000007
【図７】
0003661927.tif 000008
【図８】
0003661927.tif 000009
【図９】
0003661927.tif 000010
【図１０】
0003661927.tif 000011
【図１１】
0003661927.tif 000012